(57)【要約】【課題】冷房の風で不快だと感じるユーザの数を低減できる空気調和機の室内ユニットを提供する。【解決手段】ケーシング２の下側に設けられた水平羽根５は、送風ファン３からの吹き出し空気の風向を制御する。水平羽根５は第１駆動モータで回動される。このとき、制御部の制御によって、水平羽根５のスイング周期が２秒〜５秒の範囲内となる。これにより、水平羽根５の回動速度が速くなり、風速が速く、過度に冷たい空気がユーザに当たるのを防ぐことができる。【選択図】図１
2009174755.tif 000002
【特許請求の範囲】
【請求項１】
ケーシング(２)と、
上記ケーシング(２)内に配置された送風ファン(３)と、
上記ケーシング(２)の下側に回動自在に設けられ、上記送風ファン(３)からの吹き出し空気の風向を制御する水平羽根(５)と、
上記水平羽根(５)を回動させる駆動モータ(７)と
上記水平羽根(５)のスイング周期を２秒〜５秒の範囲内に制御するスイング制御部(８)と
を備えたことを特徴とする空気調和機の室内ユニット。
【請求項２】
請求項１に記載の空気調和機の室内ユニットにおいて、
上記送風ファン(３)からの吹き出し空気の風速は、上記水平羽根(５)に到達する直前で３ｍ／ｓ〜８ｍ／ｓの範囲内であることを特徴とする空気調和機の室内ユニット。
【発明の詳細な説明】
【技術分野】
【０００１】
本発明は空気調和機の室内ユニットに関する。
【背景技術】
【０００２】
図４は従来の空気調和機の室内ユニット１０１の模式断面図である（例えば特許第３８０１１９０号公報（特許文献１）参照）。
【０００３】
上記室内ユニット１０１は、吹出口１０６を下部に有するケーシング１０２と、このケーシング１０２内に配置された送風ファン１０３と、そのケーシング１０２内で送風ファン１０３の前方かつ上方に位置するように配置され、逆Ｊの字形状に屈曲した熱交換器１０４と、その吹出口１０６に回動自在に取り付けられた水平羽根１０５とを備えたものがある。
【０００４】
上記吹出口１０６は送風ファン１０３からの空気を室内に向けて吹き出す。この吹出口１０６から吹き出す空気は、水平羽根１０５によって上下方向の風向が制御される。
【０００５】
上記水平羽根１０５は、冷房運転時、駆動モータ（図示せず）で駆動されて、送風ファン１０３側の端部を中心に回動する。これにより、図４に示す状態と図５に示す状態とが交互に繰り返される。
【０００６】
このような室内ユニット１０１において、水平羽根１０５が図４の状態から図５の状態になって再び図４の状態になるのに要する時間（水平羽根１０５が一往復するのにかかる時間）を３０秒とした場合、風速が速く、過度に冷たい空気がユーザに当たるため、ユーザが不快に感じることがあった。
【０００７】
実際、空気調和機の利用者に調査を行ったところ、その調査でのアンケート対象者のうち９０％が冷房の風を不快だと感じたことがあると答えた。この不快だと感じた理由としては、冷房の風により、体が冷えたことや、体がだるくなったことが挙げられている。
【０００８】
以上のように、上記従来の空気調和機の室内ユニット１０１には、冷房の吹き出し空気がユーザを不快にすることがあるという問題があった。
【特許文献１】特許第３８０１１９０号公報
【発明の開示】
【発明が解決しようとする課題】
【０００９】
そこで、本発明の課題は、冷房の風で不快だと感じるユーザの数を低減できる空気調和機の室内ユニットを提供することにある。
【課題を解決するための手段】
【００１０】
上記課題を解決するため、本発明の空気調和機の室内ユニットは、
ケーシングと、
上記ケーシング内に配置された送風ファンと、
上記ケーシングの下側に回動自在に設けられ、上記送風ファンからの吹き出し空気の風向を制御する水平羽根と、
上記水平羽根を回動させる駆動モータと
上記水平羽根のスイング周期を２秒〜５秒の範囲内に制御するスイング制御部と
を備えたことを特徴としている。
ここで、上記水平羽根のスイング周期とは、水平羽根が正方向の回動と逆方向の回動とを繰り返す際、水平羽根が一往復するのに掛かる時間を指す。
【００１１】
上記構成の空気調和機の室内ユニットによれば、上記スイング制御部が水平羽根のスイング周期を２秒〜５秒の範囲内に制御することによって、水平羽根の回動速度が速くなるので、送風ファンの吹き出し空気が水平羽根を通過すると、その吹き出し空気の風速が落ちる。
【００１２】
また、上記水平羽根のスイングが速くなるので、送風ファンの吹き出し空気が散り、この散らされた吹き出し空気は、室内の空気と混ざって、温度が適度に上昇する。
【００１３】
したがって、上記室内ユニットで冷房を行っても、風速が速く、過度に冷たい空気がユーザに当たらなくなるので、冷房の吹き出し空気で不快だと感じるユーザの数を低減できる。
【００１４】
また、上記ユーザにあたる風は、風速が遅く、過度に冷たくないので、ドラフト感が小さくて優しい風である。
【００１５】
すなわち、上記室内ユニットはドラフト感が小さく優しい風をユーザに提供できる。
【００１６】
また、上記水平羽根のスイング周期が２秒未満である場合、水平羽根のスイングが過度に速くなって、水平羽根の回動が目障りになるので、ユーザに不快感を与えてしまう。
【００１７】
また、上記水平羽根のスイング周期が５秒を越えた場合、送風ファンの吹き出し空気の風速を減速させる効果が低く、また、上記吹き出し空気を広範囲に拡散することもできなくなるので、上記吹き出し空気によるドラフト感が大きくなってしまう。
【００１８】
一実施形態の空気調和機の室内ユニットでは、
上記送風ファンからの吹き出し空気の風速は、上記水平羽根に到達する直前で３ｍ／ｓ〜８ｍ／ｓの範囲内である。
【００１９】
上記実施形態の空気調和機の室内ユニットによれば、上記送風ファンからの吹き出し空気の風速が水平羽根に到達する直前で３ｍ／ｓ〜８ｍ／ｓであるので、遠くに離れたユーザに、ドラフト感が小さくて優しい風を提供できる。
【００２０】
また、上記送風ファンからの吹き出し空気の風速が水平羽根に到達する直前で３ｍ／ｓ未満であると、ドラフト感が小さくて優しい風を遠くのユーザに提供できなくなる。
【００２１】
また、上記送風ファンからの吹き出し空気の風速が水平羽根に到達する直前で８ｍ／ｓを越えると、風速が速い吹き出し空気がユーザにあたるので、ユーザを不快にしてしまう。
【発明の効果】
【００２２】
本発明の空気調和機の室内ユニットによれば、スイング制御部が水平羽根のスイング周期を２秒〜５秒の範囲内に制御することによって、水平羽根の回動速度が速くなるので、送風ファンの吹き出し空気が水平羽根で散らされ、室内の空気と混ざって、適温となる。
【００２３】
したがって、冷房運転時、ユーザに当たる冷房の風は、速度が遅く、かつ、適温となるので、冷房の風を不快と感じるユーザの数を減らすことができる。
【発明を実施するための最良の形態】
【００２４】
以下、本発明の空気調和機の室内ユニット１を図示の実施の形態により詳細に説明する。
【００２５】
図１は本発明の一実施の形態の空気調和機の室内ユニット１の模式断面図である。
【００２６】
上記室内ユニット１は、吹出口６を下部に有するケーシング２と、このケーシング２内に配置された送風ファン３と、そのケーシング２内で送風ファン３の前方かつ上方に位置するように配置され、逆Ｊの字形状に屈曲した熱交換器４と、そのケーシング２の下側に設けられ、送風ファン３からの吹き出し空気の上下方向の風向を制御する水平羽根５とを備えている。
【００２７】
上記水平羽根５は吹出口６に回動自在に取り付けられている。また、上記水平羽根５は、図２に示すように、第１駆動モータ７によって回動される。このとき、上記第１駆動モータ７の運転周波数は、冷房運転時、制御部８によって制御される。これにより、上記水平羽根５のスイング周期が２秒〜５秒の範囲内となる。なお、上記第１駆動モータ７は駆動モータの一例で、制御部８はスイング制御部の一例である。
【００２８】
また、上記制御部８は、送風ファン３を駆動する第２駆動モータ９の回転数を５００ｒｐｍ〜１５００ｒｐｍの範囲内に制御する。これにより、上記送風ファン３から吹き出された空気の風速は、水平羽根５に到達する直前で、３ｍ／ｓ〜８ｍ／ｓの範囲内となる。
【００２９】
上記構成の空気調和機の室内ユニット１によれば、水平羽根５は、冷房運転時、第１駆動モータ７で回転駆動され、図１に示すように、実線の位置から一点鎖線の位置まで回動して再び実線の位置まで回動する動作を繰り返す。このとき、上記制御部８によって、水平羽根５のスイング周期が２秒〜５秒の範囲内となる。これにより、上記水平羽根５が実線の位置から一点鎖線の位置まで回動して再び実線の位置まで戻るまでの時間は２〜５秒と短くなる。言い換えれば、上記水平羽根５は高速で回動する。
【００３０】
その結果、上記送風ファン３から吹き出され、太矢印方向に流れる冷風は、水平羽根５の風向制御を受けて、点線で挟まれた領域Ａに分散される。
【００３１】
また、上記水平羽根５が高速で回動しているので、太矢印方向に流れる冷風が広範囲に散り、室内の空気と混ざって、温度が適度に上昇する。
【００３２】
このように、上記送風ファン３から吹き出された冷風は点線で挟まれた領域Ａに分散されるので、その冷風は室内の空気で適温となって、過度に冷たい空気がユーザに当たらなくなり、冷房の吹き出し空気で不快だと感じるユーザの数を低減できる。
【００３３】
また、上記太矢印方向に流れる冷風は、水平羽根５に到達する直前で、３ｍ／ｓ〜８ｍ／ｓの範囲内となるので、遠くに離れたユーザに快適な風を送ることができる。
【００３４】
また、本発明者は、無作為に選んだ１０代〜６０代の男女３０人に対して室内ユニット１のアンケートを行った。その結果、上記アンケートの対象者の９０％以上の人から、室内ユニット１の冷房の吹き出し空気は、水平羽根のスイング周期が３０秒である従来の室内ユニットの冷房の吹き出し空気に比べて快適であるとの回答が得られた。
【図面の簡単な説明】
【００３５】
【図１】図１は本発明の一実施の形態の空気調和機の室内ユニットの模式断面図である。
【図２】図２は上記室内ユニットの要部のブロック図である。
【図３】図３は上記室内ユニットの検証試験における被験者の位置を説明するための模式図である。
【図４】図４は従来の空気調和機の室内ユニットの模式断面図である。
【図５】図５は上記従来の空気調和機の室内ユニットの他の模式断面図である。
【符号の説明】
【００３６】
１  室内ユニット
２  ケーシング
５  水平羽根
７  第１駆動モータ
８  制御部
【図１】
2009174755.tif 000003
【図２】
2009174755.tif 000004
【図３】
2009174755.tif 000005
【図４】
2009174755.tif 000006
【図５】
2009174755.tif 000007